(57)【要約】【課題】良好に排水路を洗浄することができる排水栓を提供する。【解決手段】排水栓１０は、排水路７の流入口３を閉鎖する閉鎖位置と開放する開放位置とに移動自在な排水栓本体１０Ａと、排水栓本体１０Ａに連結し、排水路７が延びる方向に沿って延び、排水路７内に配置される軸部１０Ｂと、軸部１０Ｂに取り付けられ、排水栓本体１０Ａが閉鎖位置と開放位置とに移動することに伴い、排水路７の内側面を摺動する摺動部１０Ｇを有する清掃部材１０Ｃとを備えている。【選択図】図１
2019167670.tif 000002
【特許請求の範囲】
【請求項１】
排水路の流入口を閉鎖する閉鎖位置と開放する開放位置とに移動自在な排水栓本体と、
前記排水栓本体に連結し、前記排水路が延びる方向に沿って延び、前記排水路内に配置される軸部と、
前記軸部に取り付けられ、前記排水栓本体が前記閉鎖位置と前記開放位置とに移動することに伴い、前記排水路の内側面を摺動する摺動部を有する清掃部材と、
を備えることを特徴とする排水栓。
【請求項２】
前記摺動部は、前記排水栓本体が前記閉鎖位置と前記開放位置とに移動することに伴い、前記排水路が延びる方向に移動することを特徴とする請求項１に記載の排水栓。
【請求項３】
前記摺動部は、前記排水栓本体が前記閉鎖位置と前記開放位置とに移動することに伴い、前記軸部周りに回動することを特徴とする請求項１又は２に記載の排水栓。
【請求項４】
前記摺動部は、前記清掃部材が移動する方向に複数が並んで設けられていることを特徴とする請求項１乃至３のいずれか１項に記載の排水栓。
【発明の詳細な説明】
【技術分野】
【０００１】
本発明は排水栓に関する。
【背景技術】
【０００２】
特許文献１は従来のトラップ部材を開示している。このトラップ部材は、浴槽の洗い場の床に設けられた流入口の封水筒に設けられる。このトラップ部材は円環状の環状枠、環状枠の中心軸に沿って延びる中心軸、及び中心軸から放射方向に環状枠に向けて延び、中心軸の周方向の一方向に傾斜した複数の羽根が設けられている。また、環状枠の下側には、下方向に延びる縦枠が設けられており、縦枠の中心軸に平行な辺の外側面に刷子が設けられている。このトラップ部材は、流入口から流入した排水が羽根にぶつかると、羽根が環状枠の周方向の一方向に力を受けて回転する。すると縦枠の刷子が封水筒の内周面を周方向に擦りながら移動する。こうして、このトラップ部材は封水筒の内周面を擦り洗いすることができる。
【先行技術文献】
【特許文献】
【０００３】
【特許文献１】特開２０１２−６７５３２号公報
【発明の概要】
【発明が解決しようとする課題】
【０００４】
しかし、特許文献１のトラップ部材は、流入口から流入する排水の流量が少ないと、封水筒の内周面と刷子との間の摩擦力によって回転が妨げられ、封水筒の内周面を擦り洗いできないおそれがある。
【０００５】
本発明は、上記従来の実情に鑑みてなされたものであって、排水路を良好に洗浄することができる排水栓を提供することを解決すべき課題としている。
【課題を解決するための手段】
【０００６】
本発明の排水栓は、
排水路の流入口を閉鎖する閉鎖位置と開放する開放位置とに移動自在な排水栓本体と、
前記排水栓本体に連結し、前記排水路が延びる方向に沿って延び、前記排水路内に配置される軸部と、
前記軸部に取り付けられ、前記排水栓本体が前記閉鎖位置と前記開放位置とに移動することに伴い、前記排水路の内側面を摺動する摺動部を有する清掃部材と、
を備えることを特徴とする。
【０００７】
この排水栓は、排水栓本体が移動する際に排水栓本体を閉鎖位置と開放位置とに移動させる際に排水栓に付与される力によって摺動部が動作するため、確実に摺動部が排水路の内側面を摺動することができる。
【０００８】
したがって、本発明の排水栓は良好に排水路を洗浄することができる。
【図面の簡単な説明】
【０００９】
【図１】実施例１の排水栓の排水栓本体が流入口を開放する解放位置に位置する状態を示す断面図である。
【図２】実施例１の排水栓の排水栓本体が流入口を閉鎖する閉鎖位置に位置する状態を示す断面図である。
【図３】実施例２の排水栓の排水栓本体が流入口を開放する解放位置に位置する状態を示す断面図である。
【図４】実施例２の排水栓の排水栓本体が流入口を閉鎖する閉鎖位置に位置する状態を示す断面図である。
【図５】実施例３の排水栓の排水栓本体が流入口を開放する解放位置に位置する状態を示す断面図である。
【図６】実施例３の排水栓の排水栓本体が流入口を閉鎖する閉鎖位置に位置する状態を示す断面図である。
【図７】他の実施例の排水栓の排水栓本体が流入口を開放する開放位置に位置する状態を示す断面図である。
【発明を実施するための形態】
【００１０】
本発明における好ましい実施の形態を説明する。
【００１１】
本発明の排水栓の摺動部は、排水栓本体が閉鎖位置と開放位置とに移動することに伴い、排水路が延びる方向に移動し得る。この場合、摺動部が排水路を摺動する構造を簡単な構造で実現することができる。
【００１２】
本発明の排水栓の摺動部は、排水栓本体が閉鎖位置と開放位置とに移動することに伴い、軸部周りに回動し得る。この場合、摺動部を排水路の内側面の全体にわたって設けなくても、排水路の内側面を清掃することができる。また、排水路が延びる方向に排水栓本体が移動する距離に対する、摺動部が軸部周りに回動する角度の割合を調整し易い。
【００１３】
本発明の排水栓の摺動部は、清掃部材が移動する方向に複数が並んで設けられ得る。この場合、排水路の内側面のより広範囲を清掃することができる。
【００１４】
次に、本発明の排水栓を具体化した実施例１〜３について、図面を参照しつつ説明する。
【００１５】
＜実施例１＞
実施例１の排水栓１０は、図１、２に示すように、後述する排水栓本体１０Ａによって洗面器１の流入口３を開放したり閉鎖したりする。流入口３は、洗面器１の上方から見た平面視において、円形状をなして開口しており、洗面器１の底面１Ａから内側下方（上下は、図１における上側、下側である。）に向けて曲面で形成され、下方に向かって徐々に縮径し、下端部で内側に突出した縁部５を形成している。
洗面器１の流入口３の下端部の縁部５には、下方に延びた円筒状の排水路７が連通して連結している。
【００１６】
排水栓１０は、排水栓本体１０Ａ、軸部１０Ｂ、及び清掃部材１０Ｃを備えている。排水栓本体１０Ａは円盤状であり、その外径は流入口３の上端部（洗面器１の底面１Ａから下方に傾斜し始めた部分）の径よりも小さく、排水路７の上端部の外径よりも大きい。また、排水栓本体１０Ａの下部周縁にはパッキン１０Ｄが設けられている。パッキン１０Ｄは、排水栓本体１０Ａが下降するとパッキン１０Ｄの外周面が流入口３の内面に当接し、流入口３を水密状に閉鎖する（図２参照。）。
軸部１０Ｂは、円柱状であり、排水栓本体１０Ａの下面中央に上端が連結し、排水路７が延びる方向に沿って延び、排水路７内に配置される。
【００１７】
清掃部材１０Ｃは、軸部１０Ｂから放射方向に延びた複数の支持棒１０Ｅによって支持された円環部１０Ｆ、及び円環部１０Ｆの外周面から放射方向に延びて排水路７の内側面に当接して排水路７の内側面を摺動する摺動部本体１０Ｊを具備する摺動部１０Ｇを有している。つまり、清掃部材１０Ｃは軸部１０Ｂに取り付けられている。清掃部材１０Ｃは排水と共に排水路７を流下する毛髪やごみ等を複数の支持棒１０Ｅに係止して捕集することができる。つまり、円環部１０Ｆはヘアキャッチャーとしての機能を有している。
摺動部１０Ｇは、基部１０Ｈ、及び摺動部本体１０Ｊを具備している。基部１０Ｈは可撓性を有し円環状をなしており、円環部１０Ｆの外周面に着脱自在に取り付けられる。摺動部本体１０Ｊは、基部１０Ｈが円環部１０Ｆの外周面に取り付けられた状態において、複数の繊維が基部１０Ｈの外周から外方向に向けて延びるように基部１０Ｈに配置されている。摺動部本体１０Ｊの先端は、摺動部１０Ｇが円環部１０Ｆの外周面に取り付けられた状態において、排水路７の内側面に当接している。
【００１８】
排水路７には、回動部材７Ａが設けられている。回動部材７Ａは円盤状をなし、中心軸が排水路７の中心軸に直交する向きにされ、排水路７の内側面に設けられた窪み７Ｂ内に回動部材７Ａの中心軸周りに回動自在に配置されている。また、回動部材７Ａの外周縁部には回動部材７Ａの厚み方向に柱状に突出した支持部７Ｃが設けられている。支持部７Ｃには清掃部材１０Ｃの円環部１０Ｆの下端が当接している。
回動部材７Ａは、例えば洗面器１の上端部の周縁近傍に配置された操作部（図示せず）を操作することによって、回動部材７Ａの中心軸周りに回動する。このとき、回動部材７Ａの支持部７Ｃは、回動部材７Ａの回動と共に回動部材７Ａの中心軸周りに回動し、回動部材７Ａの中心軸のほぼ真上の位置とほぼ真下の位置とを行き来する（図１、２参照。）。支持部７Ｃには清掃部材１０Ｃの円環部１０Ｆの下端が当接しており、回動部材７Ａの支持部７Ｃが回動部材７Ａの中心軸のほぼ真上の位置とほぼ真下の位置とを行き来するのに伴い、排水栓１０が上下方向に移動する。つまり、排水栓１０の排水栓本体１０Ａは排水路７の流入口３を閉鎖する閉鎖位置と開放する開放位置とに移動自在である。
【００１９】
操作部を操作して、流入口３を閉鎖する閉鎖位置から開放する開放位置に排水栓１０を移動させる場合について説明する。図２に示すように、回動部材７Ａの中心軸のほぼ真下に位置する支持部７Ｃは、操作部を操作することによって、回動部材７Ａと共に回動部材７Ａの中心軸周りに回動し、回動部材７Ａの中心軸のほぼ真上に向う。これにより、支持部７Ｃによって清掃部材１０Ｃの円環部１０Ｆが上方向に押し上げられる。このとき、清掃部材１０Ｃの摺動部１０Ｇの摺動部本体１０Ｊは排水路７の内側面を摺動しつつ上方向に移動する。こうして、摺動部１０Ｇによって排水路７の内側面を摺り洗い（洗浄）することができる。そして、支持部７Ｃが回動部材７Ａの中心軸のほぼ真上に位置すると、図１に示すように、排水栓１０の位置は排水栓本体１０Ａが流入口３を開放する開放位置になる。
【００２０】
次に、操作部を操作して、流入口３を開放する開放位置から閉鎖する閉鎖位置に排水栓１０を移動させる場合について説明する。回動部材７Ａの中心軸のほぼ真上に位置する支持部７Ｃは、操作部を操作することによって、回動部材７Ａと共に回動部材７Ａの中心軸周りに回動し、回動部材７Ａの中心軸のほぼ真下に向う。これにより、清掃部材１０Ｃの円環部１０Ｆが支持部７Ｃに当接しつつ下方向に移動する。このとき、清掃部材１０Ｃの摺動部１０Ｇの摺動部本体１０Ｊは排水路７の内側面を摺動しつつ下方向に移動する。こうして、摺動部１０Ｇによって排水路７の内側面を摺り洗い（洗浄）することができる。そして、支持部７Ｃが回動部材７Ａの中心軸のほぼ真下に位置すると、図２に示すように、排水栓１０の位置は排水栓本体１０Ａが流入口３を閉鎖する閉鎖位置になる。こうして、摺動部１０Ｇは、排水栓本体１０Ａが閉鎖位置と開放位置とに移動することに伴い、排水路７が延びる方向に摺動部本体１０Ｊが移動して排水路７の内側面を摺動する。
【００２１】
このように、排水栓１０は、排水栓本体１０Ａが移動する際に排水栓本体１０Ａを閉鎖位置と開放位置とに移動させる際に排水栓１０に付与される力によって摺動部１０Ｇが動作するため、確実に摺動部１０Ｇが排水路７の内側面を摺動することができる。
【００２２】
したがって、実施例１の排水栓１０は良好に排水路７を洗浄することができる。
【００２３】
また、排水栓１０の摺動部１０Ｇは、排水栓本体１０Ａが閉鎖位置と開放位置とに移動することに伴い、排水路７が延びる方向に移動する。つまり、摺動部１０Ｇを排水栓本体１０Ａと共に移動させることによって、摺動部１０Ｇが排水路７を摺動する構造を簡単な構造で実現することができる。
【００２４】
＜実施例２＞
実施例２の排水栓１１０は、図３、４に示すように、軸部１１０Ｂの構成、清掃部材１１０Ｃの構成、及び清掃部材１１０Ｃの動作等が実施例１と相違する。他の構成は実施例１と同様であり、同一の構成は同一の符号を付して詳細な説明を省略する。
【００２５】
排水栓１１０の軸部１１０Ｂの外周面には螺旋状に溝が刻まれている。また、軸部１１０Ｂの下端にはワイヤＷの一端が連結されている。ワイヤＷの他端は洗面器１の上端部の周縁近傍に配置された操作部（図示せず）に連結されている。排水栓１１０はワイヤＷを介して操作部に連結されることによって軸部１１０Ｂ軸周りに回転することが規制されている。操作部を操作すると、ワイヤＷを介して操作部を操作する操作力が軸部１１０Ｂに伝達され、排水栓本体１０Ａが流入口３を開放する開放位置と閉鎖する閉鎖位置とに移動させることができる。
【００２６】
清掃部材１１０Ｃは、円筒部１１０Ｆ、及び摺動部１１０Ｇを有している。円筒部１１０Ｆは、円筒状をなしており、内周面に螺旋状に溝が刻まれている。円筒部１１０Ｆは軸部１１０Ｂに挿通されている。円筒部１１０Ｆの内周面の溝と軸部１１０Ｂの外周面の溝との間には複数のボールベアリングＢが配置されている。円筒部１１０Ｆ、軸部１１０Ｂ、及び複数のボールベアリングＢはボールねじを構成している。
【００２７】
摺動部１１０Ｇは円筒部１１０Ｆの外周面に連結されている。摺動部１１０Ｇは、基部１１０Ｈ、及び摺動部本体１１０Ｊを具備している。基部は柱状に一方向に延びて形成され、円筒部１１０Ｆの外周面に着脱自在に取り付けられる。摺動部本体１１０Ｊは、複数の繊維が基部１１０Ｈが一方向に延びる方向に直交する方向に延びて基部１１０Ｈが一方向に延びる方向に並び、基端が基部１１０Ｈの外側面に連結している。摺動部１１０Ｇは円筒部１１０Ｆの外周面に取り付けられた状態において、摺動部本体１１０Ｊの先端が排水路７０の内側面に当接している。
【００２８】
また、円筒部１１０Ｆは、一対の移動規制部１１０Ｋによって、排水路７０に対して上下方向に移動することが規制されている。これら移動規制部１１０Ｋは可撓性を有した材料が用いられている。これら移動規制部１１０Ｋは外側円環部１１０Ｌ、内側円環部１１０Ｍ、及び複数の連結棒１１０Ｎを有している。外側円環部１１０Ｌは、円環状をなしており、外径が排水路７０の内径より僅かに大きく形成されている。内側円環部１１０Ｍは、円環状をなしており、内径が軸部１１０Ｂの外径より大きく、外径が円筒部１１０Ｆの外径とほぼ同じである。移動規制部１１０Ｋは、外側円環部１１０Ｌの内側に同軸状に内側円環部１１０Ｍを配置して、外側円環部１１０Ｌの内周面と内側円環部１１０Ｍの外周面とが複数の連結棒１１０Ｎによって連結されている。
一対の移動規制部１１０Ｋは、一方の移動規制部１１０Ｋの内側円環部１１０Ｍの上面が円筒部１１０Ｆの下端に当接し、他方の移動規制部１１０Ｋの内側円環部１１０Ｍの下面が円筒部１１０Ｆの上端に当接し、それぞれが排水路７０内に嵌め込まれている。円筒部１１０Ｆは一対の移動規制部１１０Ｋに対して摺動自在である。
【００２９】
操作部を操作して、流入口３を閉鎖する閉鎖位置から開放する開放位置に排水栓１１０を移動させる場合について説明する。図４に示すように、操作部を操作することによって、操作部を操作する力がワイヤＷを介して排水栓１１０の軸部１１０Ｂに伝達する。これにより、軸部１１０Ｂが上方向に押し上げられる。軸部１１０ＢはワイヤＷを介して操作部に連結されているため軸部１１０Ｂ周りに回動しない。すると、軸部１１０Ｂが上方向に押し上げられる力がボールベアリングＢを介して円筒部１１０Ｆに伝達する。これにより、清掃部材１１０Ｃの円筒部１１０Ｆが軸部１１０Ｂ周りの一方向に回動し、摺動部１１０Ｇの摺動部本体１１０Ｊは排水路７０の内側面を摺動しつつ軸部１１０Ｂ周りに回動する。こうして、摺動部１１０Ｇによって排水路７０の内側面を摺り洗い（洗浄）することができる。そして、図３に示すように、排水栓１１０の位置は排水栓本体１０Ａが流入口３を開放する開放位置になる。
【００３０】
次に、操作部を操作して、流入口３を開放する開放位置から閉鎖する閉鎖位置に排水栓１１０を移動させる場合について説明する。操作部を操作することによって、操作部を操作する操作力がワイヤＷを介して排水栓１１０の軸部１１０Ｂに伝達する。これにより、軸部１１０Ｂが下方向に押し下げられる。軸部１１０Ｂは軸部１１０Ｂ周りに回動しない。すると、軸部１１０Ｂが下方向に押し下げられる力がボールベアリングＢを介して円筒部１１０Ｆに伝達する。これにより、清掃部材１１０Ｃの円筒部１１０Ｆが軸部１１０Ｂ周りの他方向に回動し、摺動部１１０Ｇの摺動部本体１１０Ｊは排水路７０の内側面を摺動しつつ軸部１１０Ｂ周りに回動する。こうして、摺動部１１０Ｇによって排水路７０の内側面を摺り洗い（洗浄）することができる。そして、図４に示すように、排水栓１１０の位置は排水栓本体１０Ａが流入口３を閉鎖する閉鎖位置になる。こうして、摺動部１１０Ｇは、排水栓本体１０Ａが閉鎖位置と開放位置とに移動することに伴い、軸部１１０Ｂ周りに回動する。
【００３１】
このように、排水栓１１０は、排水栓本体１０Ａが移動する際に排水栓本体１０Ａを閉鎖位置と開放位置とに移動させる際に排水栓１１０に付与する力によって摺動部１１０Ｇが動作するため、確実に摺動部１１０Ｇが排水路７０の内側面を摺動することができる。
【００３２】
したがって、実施例２の排水栓１１０も良好に排水路７０を洗浄することができる。
【００３３】
また、この排水栓１１０の摺動部１１０Ｇは、排水栓本体１０Ａが閉鎖位置と開放位置とに移動することに伴い、軸部１１０Ｂ周りに回動する。このため、摺動部１１０Ｇを排水路７０の内側面の全体にわたって設けなくても、排水路７０の内側面を清掃することができる。また、軸部１１０Ｂの外周面、及び円筒部材の内周面の溝のピッチを変更することによって、排水路７０が延びる方向に排水栓本体１０Ａが移動する距離に対する、摺動部１１０Ｇが軸部１１０Ｂ周りに回動する角度の割合を調整することができる。
【００３４】
＜実施例３＞
実施例３の排水栓２１０は、図５、６に示すように、軸部２１０Ｂの構成、回動部材７０Ａの構成等が実施例１と相違する。他の構成は実施例１と同様であり、同一の構成は同一の符号を付して詳細な説明を省略する。
【００３５】
軸部２１０Ｂの下端部には、軸部２１０Ｂが延びる方向に直交する断面形状が正方形状をなした角孔Ｈが形成されている。また、角孔Ｈには挿抜自在な柱部材２１０Ｐが挿入されている。柱部材２１０Ｐが延びる方向に直交する断面形状は正方形状をなしている。これにより、柱部材２１０Ｐが角孔Ｈに挿入された状態において、柱部材２１０Ｐは軸部２１０Ｂに対する回転が規制される。柱部材２１０Ｐの下端には軸部２１０Ｂの中心軸に同軸状になるように第１かさ歯車２１０Ｑが連結されている。
【００３６】
回動部材７０Ａには、柱状に形成された連結部材７０Ｂを介して回動部材７０Ａの中心軸の同軸上に第２かさ歯車７０Ｅが連結している。第１かさ歯車２１０Ｑと第２かさ歯車７０Ｅとは互いに噛み合っている。ここで、第１かさ歯車２１０Ｑの歯数と第２かさ歯車７０Ｅの歯数との比を変更すると、第２かさ歯車７０Ｅの所定の回転角度に対して第１かさ歯車２１０Ｑの回転角度を変更することができる。
【００３７】
操作部（図示せず）を操作して、流入口３を閉鎖する閉鎖位置から開放する開放位置に排水栓を移動させる場合について説明する。図６に示すように、回動部材７０Ａの中心軸の真横より僅かに上方に位置する支持部７Ｃは、操作部を操作することによって、回動部材７０Ａと共に回動部材７０Ａの中心軸周りに回動し、回動部材７０Ａの中心軸のほぼ真上に向う。これにより、支持部７Ｃによって清掃部材１０Ｃの円環部１０Ｆが上方向に押し上げられる。このとき、回動部材７０Ａと共に回動する第２かさ歯車７０Ｅによって第１かさ歯車２１０Ｑが回動するため軸部２１０Ｂが軸部２１０Ｂ周りに回動する。つまり、清掃部材１０Ｃの摺動部１０Ｇは排水路１７０の内側面の周方向に回動しつつ上方向に移動する。こうして、摺動部１０Ｇによって排水路１７０の内側面を摺り洗い（洗浄）することができる。そして、支持部７Ｃが回動部材７０Ａの中心軸のほぼ真上に位置すると、図５に示すように、排水栓２１０の位置は排水栓本体１０Ａが流入口３を開放する開放位置になる。
【００３８】
次に、操作部を操作して、流入口３を開放する開放位置から閉鎖する閉鎖位置に排水栓２１０を移動させる場合について説明する。回動部材７０Ａの中心軸のほぼ真上に位置する支持部７Ｃは、操作部を操作することによって、回動部材７０Ａと共に回動部材７０Ａの中心軸周りに回動し、回動部材７０Ａの中心軸の真横より僅かに上方の位置に向う。これにより、清掃部材１０Ｃの円環部１０Ｆが支持部７Ｃに当接しつつ下方向に移動する。このとき、回動部材７０Ａと共に回動する第２かさ歯車７０Ｅによって第１かさ歯車２１０Ｑが回動するため軸部２１０Ｂが回動する。つまり、清掃部材１０Ｃの摺動部１０Ｇは排水路１７０の内側面の周方向に回動しつつ下方向に移動する。こうして、摺動部１０Ｇによって排水路１７０の内側面を摺り洗い（洗浄）することができる。そして、支持部７Ｃが回動部材７０Ａの中心軸の真横から僅かに上方の位置になると、図６に示すように、排水栓２１０の位置は排水栓本体１０Ａが流入口３を閉鎖する閉鎖位置になる。
【００３９】
このように、排水栓２１０は、排水栓本体１０Ａが移動する際に排水栓本体１０Ａを閉鎖位置と開放位置とに移動させる際に排水栓２１０に付与する力によって摺動部１０Ｇが動作するため、確実に摺動部１０Ｇが排水路１７０の内側面を摺動することができる。
【００４０】
したがって、実施例３の排水栓２１０も良好に排水路１７０を洗浄することができる。
【００４１】
本発明は上記記述及び図面によって説明した実施例に限定されるものではなく、例えば次のような実施例も本発明の技術的範囲に含まれる。
（１）実施例１では、清掃部材の摺動部の摺動部本体が円環状の基部に設けられているが、図７に示す排水栓３１０のように、軸部３１０Ｂの外側面に螺旋状に清掃部材３１０Ｃの摺動部３１０Ｇとして摺動部本体３１０Ｊを配置してもよい。摺動部本体３１０Ｊは螺旋状に上下に隣り合う間が離隔している。このため、排水は摺動部本体３１０Ｊの離隔した間を流下することができる。
（２）実施例１では、清掃部材が軸部に１つ設けられているが、清掃部材を軸部の中心軸方向に複数並べて配置してもよい。また、実施例２でも清掃部材が１つ設けられているが、清掃部材を円筒部の周方向に複数並べて配置してもよい。つまり、排水栓の摺動部は、清掃部材が移動する方向に複数が並んで設けられていてもよい。これにより、排水路の内側面のより広範囲を清掃することができる。
（３）実施例１では、摺動部本体に複数の繊維が用いられているが、摺動部本体を弾性を有したゴム等で円環状に形成し、円環状の外周面を排水路の内側面に当接させてもよい。また、実施例２でも摺動部本体に複数の繊維が用いられているが、摺動部本体を弾性を有したゴム等で平板状に形成し、平板状の一辺を排水路の内側面に当接させてもよい。
（４）排水栓の開閉機構は実施例１〜３の形態に限らず、他の形態であってもよい。例えば、排水栓の軸部の下端に設けられた磁石に対して、反発力を付与する方向に配置された磁石を排水路の外側に設け、この磁石を軸部の下端の磁石に対して近づけたり遠ざけたりすることによって排水栓を開放位置又は閉鎖位置にしてもよい。
【符号の説明】
【００４２】
１０，１１０，２１０，３１０…排水栓
１０Ａ…排水栓本体
１０Ｂ，１１０Ｂ，２１０Ｂ，３１０Ｂ…軸部
１０Ｃ，１１０Ｃ，３１０Ｃ…清掃部材
１０Ｇ，１１０Ｇ，３１０Ｇ…摺動部
【図１】
2019167670.tif 000003
【図２】
2019167670.tif 000004
【図３】
2019167670.tif 000005
【図４】
2019167670.tif 000006
【図５】
2019167670.tif 000007
【図６】
2019167670.tif 000008
【図７】
2019167670.tif 000009